(57)【要約】【目的】本発明は、端末の音量を調整する音量調整方法および音量調整システムに関し、端末にＩＣタグを装着して他の端末のＩＣタグを検出したり、距離や雑音レベルを測定したり、更に、場所を検出したりし、端末の音量を適切に自動調整すると共に所定時間経過後に元の音量に自動復帰し、人手を煩わせることなく簡易かつ確実に端末の音量を適切に自動調整することを目的とする。【構成】  他の端末に装着したＩＣタグから無線で当該ＩＣタグの情報を読み取るステップと、ＩＣタグから情報が読み取れたときに、音量を調整するステップとを端末に備えた音量調整方法。【選択図】        図１
2006253765.tif 000002
【特許請求の範囲】
【請求項１】
端末の音量を調整する音量調整方法において、
他の端末に装着したＩＣタグから無線で当該ＩＣタグの情報を読み取るステップと、
前記ＩＣタグから情報が読み取れたときに、音量を調整するステップと
を端末に備えたことを特徴とする音量調整方法。
【請求項２】
前記ＩＣタグから情報が読み取れたときの強度をもとに距離を算出するステップと、
前記算出した距離に対応して、前記音量を調整するステップと
を有すことを特徴とする請求項１記載の音量調整方法。
【請求項３】
前記ＩＣタグから情報を読み取れたとき、当該端末の周囲の雑音レベルを測定するステップと、
前記測定した雑音レベルに対応して、前記音量を調整するステップと
を有することを特徴とする請求項１あるいは請求項２記載の音量調整方法。
【請求項４】
前記ＩＣタグから情報が読み取れたときの現在位置を検出して所定場所のときに、前記音量を調整するステップを有することを特徴とする請求項１から請求項３のいずれかに記載の音量調整方法。
【請求項５】
前記音量を調整として、予め設定した音量、前記距離に反比例した所定音量、前記雑音レベルに比例した所定音量、あるいは前記場所に対応した所定音量よりも、現在の音量が大きいときに所定音量あるいは所定音量以下に調整することを特徴とする請求項１から請求項４のいずれかに記載の音量調整方法。
【請求項６】
前記ＩＣタグから読み取れた情報として、前記ＩＣタグに書き込んだ特定の情報あるいは特定のビットとしたことを特徴とする請求項１から請求項５のいずれかに記載の音量調整方法。
【請求項７】
前記音量を調整した後、所定時間経過後に元の音量に戻すステップを有することを特徴とする請求項１から請求項６のいずれに記載の音量調整方法。
【請求項８】
端末の音量を調整する音量調整システムにおいて、
他の端末に装着したＩＣタグから無線で当該ＩＣタグの情報を読み取る手段と、
前記ＩＣタグから情報が読み取れたときに、音量を調整する手段と
を端末に備えたことを特徴とする音量調整システム。
【発明の詳細な説明】
【技術分野】
【０００１】
本発明は、端末の音量を調整する音量調整方法および音量調整システムに関するものである。
【背景技術】
【０００２】
従来、電車やホテルのロビー内の閉空間において携帯端末で音楽を聴く場合、音量が大きいと音漏れが発生して周囲の人に迷惑をかけることがある。
【０００３】
このため、端末がＩＰパケットをブロードキャストして反応が返ってくるか否かを判断し、反応があった場合には、音量を低減する技術がある（特許文献１参照）。
【０００４】
また、外部からの信号を受信して周囲の雑音レベルを測定し、音量を調整する携帯機器がある（特許文献２参照）。
【特許文献１】特開２００４−３２３９４号公報
【特許文献２】特開平１０−１６３７７６号公報
【発明の開示】
【発明が解決しようとする課題】
【０００５】
上述した前者では、ＩＰパケットをブロードキャストして周囲の端末から反応が返ってきたときに音量を低減することはできるが、端末間の距離が考慮されていなく、無線通信可能な距離内であれば一律に音量を低減してしまい、端末間の距離が例えば１ｍ以内か、５ｍ以上によって音の聞こえ方が全く異なるにもかかわらず、これら距離や、更に、周囲の雑音レベルに対応して音量を調整できないという問題があった。
【０００６】
また、上述した後者では、周囲の雑音レベルのみで音量調整していたため、他の端末との間の距離が大きくても、小さくても、音量を調整してしまうという問題があった。
【０００７】
また、端末で音楽を視聴している人が、周囲の状況（電車内、静かな場所などの状況）を察知してその都度、音量を調整していたのでは、操作が煩わしいという問題もあった。
【課題を解決するための手段】
【０００８】
本発明は、これらの問題を解決するため、端末にＩＣタグを装着して周囲に他の端末に装着したＩＣタグを検出したり、更に、距離や雑音レベルを測定したり、場所を検知したりし、端末の音量を適正なレベルに自動調整すると共に所定時間経過後に元の音量に自動復帰することを繰り返すようにしている。
【発明の効果】
【０００９】
本発明は、端末にＩＣタグを装着して他の端末のＩＣタグを検出したり、距離や雑音レベルを測定したり、更に、場所を検出したりし、端末の音量を適切に自動調整すると共に所定時間経過後に元の音量に自動復帰し、人手を煩わせることなく簡易かつ確実に端末の音量を適切に自動調整することが可能となる。
【発明を実施するための最良の形態】
【００１０】
本発明は、端末にＩＣタグを装着して周囲に他の端末に装着したＩＣタグを検出したり、更に、距離や雑音レベルを測定したり、場所を検知したりし、端末の音量を適正なレベルに自動調整すると共に所定時間経過後に元の音量に自動復帰することを実現した。
【実施例１】
【００１１】
図１は、本発明のシステム構成図を示す。
図１において、端末１は、音楽などを再生する携帯端末（携帯音楽端末）などであって、ＩＣタグ１９を装着し、ここでは、他の端末２に装着されたＩＣタグ２１から無線で情報を読み取って音量を調整するものであり、ＩＣタグ読取手段１１、処理部１２、表示手段１６、現在音量レベル情報テーブル１７、および最大音量レベル情報テーブル１８などから構成されるものである。
【００１２】
ＩＣタグ読取手段１１は、無線を送信して他の端末２に装着されたＩＣタグ２１から情報（特定情報）を読み取るものである。
【００１３】
処理部１２は、ＩＣタグ読取手段１１によって他の端末２に装着されたＩＣタグ２１から情報を読み取れたときに、当該情報をもとに音量を調整するものであって、ここでは、判断手段１３、および音量調整手段１５などから構成されるものである。
【００１４】
判断手段１３は、他の端末２に装着されたＩＣタグ２１から読み取った情報が音量調整用の特定情報か判別したり、特定情報と判別された場合に、現在の音量レベルと、所定の音量レベルとを比較して音量を調整（例えば所定音量レベルに低減したり、所定時間経過後に元の音量に復帰させたりなどの音量を調整）するものである（図２などを参照）。
【００１５】
音量調整手段１５は、音量を調整するものである（図２など参照）。
表示手段１６は、音量を低減した旨などの各種情報を表示するものであって、例えば端末１に設けた液晶パネルに表示するものである。
【００１６】
現在音量レベル情報テーブル１７は、現在の音量を設定するテーブルである。
最大音量レベル情報テーブル１８は、調整すべき最大の音量レベルを設定するテーブルである。
【００１７】
ＩＣタグ１９は、端末１に装着したＩＣタグであって、特定情報を書き込んだものである。他の端末２が当該端末１に装着したＩＣタグ１９から特定情報を読み取ると、当該他の端末２で以下に説明する音量調整を同様に行うためのものである。
【００１８】
端末２は、他の端末であって、例えば音楽携帯端末であり、特定情報を書きこんだＩＣタグ２１を装着したものである。
【００１９】
ＩＣタグ２１は、無線で情報を読み書きできるものであって、ここでは、書き込まれている特定情報を、端末１のＩＣタグ読取手段１１が読み取る対象のＩＣタグである。
【００２０】
次に、図２のフローチャートの順番に従い、図１の構成の動作を詳細に説明する。
図２は、本発明の動作説明フローチャートを示す。
【００２１】
図２において、Ｓ１は、一定時間毎に他の端末２のＩＣタグ２１を読み取りする。これは、図１の端末１を構成するＩＣタグ読取手段１１が一定時間毎に読み取り信号を他の端末２に向けて送信し、当該他の端末２に装着されているＩＣタグ２１から情報（例えば特定情報）の読み取りを行う（いわゆる、全ＩＣタグ２１に向けてポーリングを行い、他の端末２に装着されたＩＣタグ２１の特定情報の読み取りを行う）。
【００２２】
Ｓ２は、読み取り成功か判別する。他の端末２に装着されたＩＣタグ２１から情報（特定情報）の読み取りが成功したか判別する。ＹＥＳの場合には、Ｓ４に進む。ＮＯの場合には、所定時間経過後にもとの音量レベルに戻し（以前に読み取りに成功して音量を低減していた場合に、所定時間経過後にもとの音量レベルに戻し）、Ｓ１以降を繰り返す。これにより、後述する図４で音量低減した場合に、所定時間連続して他の端末２に装着されたＩＣタグ２１から情報が読み取れ無くなった場合には、大きな音量にしても、周囲の人に迷惑などをかけないと判明したので、元の音量に自動的に戻すことが可能となる。
【００２３】
Ｓ４は、最大音量レベル以内に音量を低減する。これは、Ｓ２のＹＥＳで、他の端末２に装着したＩＣタグ２１から情報（特定情報）の読み取りに成功したと判明したので、そのＩＣタグ２１を装着した端末２を携帯する人に迷惑がかからないように、所定の最大音量レベル以内に音量を自動的に低減する。低減したときは、元の音量を記憶しておき、Ｓ３で元の音量に戻せるようにしておく。
【００２４】
Ｓ５は、音量制御により音量低減情報を表示する。これは、例えば後述する図３の（ｃ）に示すように、端末２の液晶ディスプレイ上に、
・「音声制御機能が作動中です。」
というメッセージを表示し、ＩＣタグ２１を装着した端末２を携帯した人が近づいてきたので音量を低減した旨のメッセージを表示して知らせる。
【００２５】
以上のように、一定時間毎に他の端末２に装着したＩＣタグ２１から情報（特定情報）の読み取りに成功した場合には、音量を所定の最大音量レベル以下に自動的に低減すると共に自動的に低減した旨のメッセージを表示することが可能となる。そして、一定時間以上、ＩＣタグ２１から情報の読み取りに成功しなかった場合には、音量を元の音量に自動復帰させることが可能となる。
【００２６】
図３は、本発明の説明図を示す。
図３の（ａ）は、ＩＣタグ２１，１９の例を示す。ＩＣタグ２１，１９は、端末２，１に装着する無線で情報（特定情報）を読み取り（必要に応じて更に書込み）可能なＩＣタグであって、ここでは、音量調整を行う旨の特定情報（あるいは特定ビットをオンに設定した情報）を設定するものである。他の端末２から図示の特定情報（特定ビットがオン）を読み取れた場合、既述した図２のＳ２のＹＥＳとなる。
【００２７】
図３の（ｂ）は、最大音量レベル情報テーブル１８の例を示す。最大音量レベル情報テーブル１８は、ＩＣタグ２１を装着した他の端末２を携帯した人が近づき、当該ＩＣタグ２１から情報が読み取れたときに調整する最大音量を予め実験などで求めて設定したテーブルであって、ここでは、図示の下記の情報を対応づけて登録したものである。
【００２８】
項目              最大音量レベル
・ＩＣタグ読取可  ：５    
・ＩＣタグ読取不可：無制限
・その他          ：
ここで、「ＩＣタグ読取可」は既述した図２のＳ２で読取成功した場合であって、他の端末２を携帯した人が近づき、当該他の端末２に装着したＩＣタグ２１から情報が読み取れ、所定距離範囲に近づいた状態を表し、ここでは、最大音量レベル「５」以下に調整することを旨を表す。一方、「ＩＣタグ読取不可」は、他の端末２に装着したＩＣタグ２１から情報が読み取れなかった場合で、所定距離範囲に当該端末２を携帯した人が居ないと判明したので、最大音量レベルを「無制限」としたものである。
【００２９】
以上のように、他の端末２に装着したＩＣタグ２１から情報が読み取れたときに（ＩＣ読取可の場合に）、人に迷惑にならないと思われる所定の最大音量レベルを設定しておくことにより、他の端末２を携帯した人が近づいてきたときにその人に迷惑にならない最大音量レベル以下に自動調整することが可能となる。そして、その人が離れて所定時間ＩＣ読取不可の状態が続くと（既述した図２のＳ３）、自動的に元の音量に復帰させることが可能となる。
【００３０】
図３の（ｃ）は、表示例を示す。これは、既述した図２のＳ５で音量を自動低減した場合に、端末１のＬＣＤディスプレイ上に表示する例であって、ここでは、
・「音声制御機能」が作動中です。」
というメッセージを表示し、端末１を携帯する人に知らせることが可能となる。
【００３１】
図４は、本発明の他のシステム構成図を示す。図中のＩＣタグ距離測定手段１４を除いいた１、１２を構成する１３と１５、１６から１９、２，２１は、図１の同一番号と同じであるので説明を省略する。
【００３２】
図４の（ａ）は全体のシステム構成図を示し、図４の（ｂ）は図４の（ａ）のＩＣタグ距離測定手段１４の詳細なシステム構成図を示す。
【００３３】
図４の（ａ）および（ｂ）において、ＩＣタグ距離測定手段１４は、他の端末２に装着したＩＣタグ２１までの距離を測定するものであって、読取可否変化点探索手段１４１、読取出力電波可変手段１４２、電波発信手段１４３、電波受信手段１４４、受信感度可変手段１４５、距離測定手段１４６、テーブル登録手段１４７、および電波強度距離対応テーブル１４８などから構成されるものである。
【００３４】
読取可否変化点探索手段１４１は、ＩＣタグ２１に向けて送信する電波強度を可変し、当該ＩＣタグ２１から情報が読み取れるときと読み取れないときの変化点の電波強度を探索するものである（図７を用いて後述する）。
【００３５】
読取出力電波可変手段１４２は、送信する電波の出力を可変するものである。
電波発信手段１４３は、電波を発信（送信）するものである。
【００３６】
電波受信手段１４４は、送信した電波に対応し、ＩＣタグ２１からその応答の電波（信号）を受信するものである。
【００３７】
受信感度可変手段１４５は、受信感度を可変するものである。
距離測定手段１４６は、読取可否変化点探索手段１４１によって、送信する電波の強度を最大からステップ状に順次小さくし、ＩＣタグ２１から情報が読み取れていた状態から読み取れ無くなったときの送信電波の強度を求め（あるいは、送信する電波の強度を最小からステップ状に順次大きくし、ＩＣタグ２１から情報が読み取れない状態から読み取れたときの送信電波の強度を求め）、この求めた送信電波の強度をもとにテーブル（図６の（ａ）の電波強度・距離対応テーブル１４８）を参照してＩＣタグ２１までの距離（他の端末２までの距離）を算出するものである。
【００３８】
テーブル登録手段１４７は、ＩＣタグ２１から情報を読み取れたときの電波強度（あるいは読み取れなくなったときの電波強度）に対応づけて距離（読取可能最大距離）を対応づけて登録するものである。
【００３９】
電波強度・距離対応テーブル１４８は、ＩＣタグ２１に向けて送信した電波強度を可変して当該ＩＣタグ２１から情報が読み取れたときに送信した電波強度（あるいは読み取れなくなったときの送信した電波強度）に対応づけてそのときの距離を登録したものである（図６の（ａ）参照）。
【００４０】
以上のように、端末１にＩＣタグ距離測定手段１４を設けることにより、図４の（ａ）の端末１は、ＩＣタグ２１を装着した他の端末２までの距離を自動的に測定することが可能となる。
【００４１】
次に、図５のフローチャートの順番に従い、図４の構成の動作を詳細に説明する。
図５は、本発明の他の動作説明フローチャートを示す。
【００４２】
図５において、Ｓ１１は、一定時間毎に他の端末２のＩＣタグ２１を電波強度最大で読み取りする。これは、図４の端末１を構成するＩＣタグ距離測定手段１４がＩＣタグ読取手段１１を制御し、一定時間毎に最大電波強度で他の端末２に向けて送信し、当該他の端末２に装着されているＩＣタグ２１から情報（例えば特定情報）の読み取りを行う（いわゆる、全ＩＣタグ２１に向けて最大電波強度でポーリングを行い、他の端末２に装着されたＩＣタグ２１の特定情報の読み取りを行う）。
【００４３】
Ｓ１２は、読み取り成功か判別する。他の端末２に装着されたＩＣタグ２１から情報（特定情報）の読み取りが成功したか判別する。ＹＥＳの場合には、Ｓ１４に進む。ＮＯの場合には、Ｓ１３で所定時間経過後にもとの音量レベルに戻し（以前に読み取りに成功して音量を低減していた場合に、所定時間経過後にもとの音量レベルに戻し）、Ｓ１１以降を繰り返す。これにより、図５のＳ１７で音量低減した場合に、所定時間連続して他の端末２に装着されたＩＣタグ２１から情報が読み取れ無くなった場合には、大きな音量にしても、周囲の人に迷惑などをかけないと判明したので、元の音量に自動的に戻すことが可能となる。
【００４４】
Ｓ１４は、距離算出処理（図７）を実行する。これは、Ｓ１２のＹＥＳで最大電波強度で他の端末２に装着されたＩＣタグ２１から特定情報の読み取りが成功したと判明したので、当該ＩＣタグ２１までの距離を算出するための図７の距離算出処理を実行し（図７で後述する）、ＩＣタグ２１までの距離Ｌを測定する。
【００４５】
Ｓ１５は、距離に応じて音量レベルを算出する。これは、Ｓ１４（図７）で測定した距離をもとに、図６の（ｂ）の最大音量レベルテーブル１４９を参照して最大音量レベルを算出する。
【００４６】
Ｓ１６は、現在の音量が算出した音量レベル以下か判別する。これは、現在の端末１の音量が、Ｓ１５で算出した距離に対応した最大音量レベル以下か判別する。ＹＥＳの場合には、終了する。ＮＯの場合には、現在の音量が、距離に応じた最大音量レベル以上と判明したので、Ｓ１７で算出した音量レベル以下に現在の音量を設定（低減）し、Ｓ１８で音量制御により音量低減情報を表示（端末１の液晶ディスプレイ上に表示）し、端末１の携帯する人に知らせる。
【００４７】
以上によって、端末１を携帯する人は、当該端末１が自動的に他の端末２に装着されたＩＣタグ２１までの距離を算出し、当該距離に応じた最大音量レベルを算出し、現在の音量レベルと比較し、大きいときに距離に応じた音量レベル（あるいは予め設定された更に、小さい音量レベル）以下に逐次当該距離に応じて自動的に調整することが可能となる。尚、距離が離れていく場合にも、当該距離に追従して音量レベルを算出し、当該算出した音量レベルに自動調整（元の音量レベルを超えない範囲で自動調整）する。そして、最大電波強度で一定時間経過しても他の端末２に装着したＩＣタグ２１の情報を読み取れ無くなったときは、Ｓ１２のＮＯとなり、Ｓ１３で上述したように、元の音量レベルに自動復帰させる。
【００４８】
図６は、本発明のテーブル例を示す。
図６の（ａ）は、本発明の電波強度・距離対応テーブル例を示す。図示の電波強度・距離対応テーブル１４８は、他の端末２に装着したＩＣタグ２１に向けて送信する電波強度を可変し、当該ＩＣタグ２１から情報が読み取れ無くなったとき（あるいは読み取れたとき）の電波強度に対応づけて距離を登録したものである。
【００４９】
以上のように、他の端末２に装着したＩＣタグ２１に向けて送信する電波強度に対応づけて、当該ＩＣタグ２１から情報が読み取れ無くなったとき（あるいは読み取れるようになったとき）の距離を予め実験で求めて図示のように登録することにより、ＩＣタグ２１に向けて送信する電波強度可変して当該ＩＣタグ２１から情報が読み取れたとき（あるいは読み取れなくなったとき）の電波強度から当該ＩＣタグ２１までの距離を算出することが可能となる。
【００５０】
図６の（ｂ）は、最大音量レベルテーブル例を示す。図示の最大音量レベルテーブル１４９は、図６の（ａ）のテーブルで算出した距離（他の端末２に装着したＩＣタグ２１までの距離）に対応づけて、端末１で調整可能な最大音量レベルを予め実験で当該距離のときに他の端末２を携帯する人に迷惑をかけない音量レベルを求めて登録したものである。
【００５１】
以上のように、ＩＣタグ２１までの距離（読取距離）に対応づけて最大音量レベルを予め実験で求めて図示のように登録することにより、端末１が他の端末２に装着したＩＣタグ２１までの距離を算出し、当該端末１の音量を他の端末２を携帯する人に迷惑をかけない程度に自動的に調整（低減）したり、距離が離れていくときに自動的に調整（大きく）したりすることが可能となる。
【００５２】
図７は、本発明の動作説明図（距離算出処理）を示す。
図７の（ａ）はフローチャートを示し、図７の（ｂ）は説明図を示す。
【００５３】
図７の（ａ）において、Ｓ２１は、ｉ＝１とする。これは、変数ｉ＝１と初期設定する。
【００５４】
Ｓ２２は、電波強度（ｉ）を選択してＩＣタグ２１を読み取る。これは、後述する図７の（ｂ）において、電波強度ｉ（ｉは最初は１で、順次２，３，４・・・と強度を強くする）を選択し、当該電波強度ｉの電波をＩＣタグ２１に向けて送信し、当該ＩＣタグ２１からの情報の読み取りを試みる。尚、最大電波強度から最小電波強度まで順次小さくし
てもよい。
【００５５】
Ｓ２３は、読み取れたか判別する。これは、Ｓ２２で電波強度ｉの電波を送信し、ＩＣタグ２１から情報が読み取れたか判別する。ＹＥＳの場合には、Ｓ２５に進む。ＮＯの場合には、Ｓ２４でｉ＝ｉ＋１し、Ｓ２２以降を繰り返す。
【００５６】
Ｓ２５は、Ｓ２３のＹＥＳでＩＣタグ２１から情報が読み取れたと判明したので、電波強度（ｉ）で既述した図６の（ａ）の電波強度・距離対応テーブル１４８を索引して距離を求め、終了する。
【００５７】
以上によって、ここでは、電波強度を最小から最大まで順次大きくしながら送信（あるいは最大の電波強度から最小まで順次小さくしながら送信）し、ＩＣタグ２１から情報が読みと取れたときの当該電波強度（あるいは読み取れなくなった直前の電波強度）をもとに、図６の（ａ）の電波強度・距離対応テーブル１４８を参照し、端末１からＩＣタグ２１（他の端末２）までの距離を測定することが可能となる。
【００５８】
図７において、Ｓ３１は、ｉ＝１とする。これは、変数ｉ＝１と初期設定する。
Ｓ３２は、電波強度（ｉ）に対する最大読取可能距離を実測する。これは、図７の（ｂ）において、電波強度が最小から最大までの間を所定数で区分した強度のうち、小さい電波強度を送出し、人がＩＣタグ２１を遠くから近く（あるいは近くから遠く）へ移動させて情報が読み取れたときの距離（あるいは情報が読み取れなくなったときの直前の距離）を算出する。算出した距離は、Ｓ３５で読取可能最大距離（ｉ）と決定し、Ｓ３６でテーブル登録処理で既述した図６の（ａ）の電波強度・対応テーブル１４８中の、例えば電波強度「強度ｉ」（ｉ＝１の場合）に対応づけてその読取可能最大距離を「０．５ｍ」を登録する。
【００５９】
Ｓ３３は、ｉが終了か判別する。ＹＥＳの場合には、図６の（ａ）の電波強度・距離対応テーブル１４８への登録を終了する。一方、ＮＯの場合には、Ｓ３４でｉ＝ｉ＋１し、次の変数ｉについて、Ｓ３２以降を繰り返す。
【００６０】
以上によって、既述した図６の（ａ）の電波強度・対応テーブル１４８に電波強度に対応づけて読取可能最大距離が登録されることとなる。
【００６１】
図７の（ｂ）において、端末１は、図１の端末１であって、電波強度を変えて（強度１，強度２・・・強度７・・・）送信し、そのときに他の端末２に装着したＩＣタグ２１から情報が読み取れたときの距離をそれぞれ実測して求めるものである。
【００６２】
図８は、本発明の他のシステム構成図を示す。ここで、１１，１３、１５、１７、１８、２、２１は、図１の同一番号のものと同一であるので説明を省略する。
【００６３】
図８において、雑音測定手段１４１は、端末１の周囲の雑音レベルを測定するものである。
【００６４】
次に、図９のフローチャートの順番に従い、図８の構成の動作を詳細に説明する。
図９は、本発明の他の動作説明フローチャートを示す。
【００６５】
図９において、Ｓ４１は、一定時間毎に他の端末２のＩＣタグ２１を読み取る。これは、図８で端末１のＩＣ読取手段１１が電波強度を変えて他の端末２のＩＣタグ２１の情報の読み取りを行う。
【００６６】
Ｓ４２は、読取成功か判別する。ＹＥＳの場合には、Ｓ４４に進む。ＮＯの場合には、Ｓ４３で所定時間経過後にもとの音量レベルに戻す。これは、他の端末２のＩＣタグ２１から所定時間経過しても当該ＩＣタグ２１から情報が読み取れなかったときは当該ＩＣタグ２１を装着した他の端末２を所持した人が所定距離以上離れてもやは、音量を大きくしても迷惑をかけないので、元の音量に復帰させ、Ｓ４１を繰り返す。
【００６７】
Ｓ４４は、Ｓ４２のＹＥＳで、他の端末２に装着したＩＣタグ２１から情報が読み取れた所定距離範囲内に当該他の端末２を保持する人が来たと判明したので、周囲の雑音を測定する。
【００６８】
Ｓ４５は、現在の音量は測定された雑音レベルに対応する音量レベル以下か判別する。これは、端末１の図示外のプレイヤーから発声される現在の音量が、Ｓ４４で測定した周囲の雑音レベルをもとに後述する図１０の音量レベル情報テーブルを参照して取り出した対応する最大音量レベル（周囲の雑音に対応づけて発声してもよい最大音量レベル）以下か判別する。ＹＥＳの場合には、現在の端末１から発声する音量が、周囲の雑音レベルに対応する最大音量レベル以下と判明し、他の端末１を所持する人に迷惑をかける音量ではないと判明したので、終了する。一方、ＮＯの場合には、現在の端末１から発声する音量が、周囲の雑音レベルに対応する最大音量レベル以下でないと判明し、他の端末１を所持する人に迷惑をかける音量であると判明したので、Ｓ４０で測定した音量レベル以内（あるいは図１０の雑音レベルに対応する最大音量レベル以内）に音量を設定（調整）し、Ｓ４７で音量制御により音量低減情報を表示する。
【００６９】
以上によって、端末１において、他の端末２に装着したＩＣタグ２１から情報が読み取れたときに、当該端末１の周囲の雑音レベルを測定し、現在の当該端末１の音量レベルが、前記測定した雑音レベルをもとに図１０の音量レベル情報テーブルを参照して取り出した最大音量レベル以上のときに現在の音量を雑音レベル以下（あるいは対応する最大音量レベル以下）に自動調整し、他の端末２を所持する人に音が大きすぎる迷惑をかけることを自動的に防止することが可能となると共に、所定時間経過して他の端末２に装着したＩＣタグ２１の情報が読み取れ無くなったときに元の音量に自動復帰させることが可能となる。
【００７０】
図１０は、本発明の最大音量レベル情報テーブルの例を示す。最大音量レベル情報テーブルは、周囲の雑音レベルに対応づけて、端末１から発声しても許される最大音量レベルを予め実験して登録したものである。
【００７１】
以上の最大音量レベル情報テーブルを予め作成して登録することにより、端末１の周囲の雑音レベルを測定し、他の端末２に装着したＩＣタグ２１から情報が読み取れたときに、当該端末１の周囲の雑音レベルに対応した許容し得る最大音量レベルを当該最大音量レベル情報テーブルを参照して求め、端末１の現在の音量が当該最大音量レベル以上のときに現在の音量を当該最大音量レベル以下（あるいは雑音レベル以下）に自動的に調整し、所定時間経過しても当該ＩＣタグ２１から情報が読み取れ無くなったときに、元の音量に自動復帰させることが可能となる。
【００７２】
図１１は、本発明の他のシステム構成図を示し、図１の端末１のシステム構成図の要部のみを示す。図示の処理部２は図１の処理部２に対応し、当該処理部２を構成する音量制御手段１５は図１の音量制御手段１５と同じであるので説明を省略する。また、図示の表示手段１６、端末２、ＩＣタグ２１は、図１の表示手段１６、端末２、ＩＣタグ２１と同一であるので説明を省略する。
【００７３】
図１１において、雑音測定手段１４１は、端末１の周囲の雑音レベルを測定するものである。
【００７４】
ＩＣタグ読取手段１４２は、他の端末２のＩＣタグ２１から情報を読み取るものである。
【００７５】
ＩＣタグ距離測定手段１４３は、他の端末２のＩＣタグ２１向けて送信する電波強度を変え、当該ＩＣタグ２１から情報を読み取れたときの電波強度をもとにＩＣタグ２１までの距離を測定するものである（既述した図７参照）。
【００７６】
次に、図１２のフローチャートの順番に従い、図１１の構成の動作を詳細に説明する。
図１２は、本発明の他の動作説明フローチャートを示す。
【００７７】
図１２において、Ｓ５１は、一定時間毎に他の端末２のＩＣタグ２１を電波強度最大で読み取る。
【００７８】
Ｓ５２は、読取成功か判別する。これは、Ｓ５１で端末１が電波強度最大で他の端末２に装着されているＩＣタグ２１から情報の読み取りを行い、その読み取りに成功したか判別する。ＹＥＳの場合には、Ｓ５４に進む。ＮＯの場合には、所定時間経過後にもとの音量レベルに戻し、Ｓ５１を繰り返す。
【００７９】
Ｓ５４は，距離算出処理（図７）を実行する。これは、Ｓ５２のＹＥＳで、他の端末２に装着したＩＣタグ２１から情報が読み取れたと判明したので、既述した図７のフローチャートに従い端末１から当該ＩＣタグ２１までの距離を算出する。
【００８０】
Ｓ５５は、雑音測定する。これは、端末１を構成する図１１の雑音測定手段１４１が周囲の雑音レベルを測定する。
【００８１】
Ｓ５６は、雑音レベルおよび距離に応じて最大音量レベルを設定する。これは、Ｓ５５で測定した端末１の周囲の雑音レベルと、Ｓ５４で測定した端末からＩＣタグ２１を装着した端末２までの距離とをもとに、後述する図１４の最大音量レベルテーブルを参照し、該当する欄の最大音量レベル（周囲の雑音レベルと、端末２までの距離とで許される端末１が発声する最大音量レベル）を取り出し、現在の音量を調整するレジスタ（あるいはメモリ）に設定する。
【００８２】
Ｓ５７は、現在の音量は算出した最大音量レベル以下か判別する。ＹＥＳの場合には、現在の音量レベルが、Ｓ５６で算出した最大音量レベル以下で、ＩＣタグ２１を装着した他の端末２を所持する人に音量が大きすぎて迷惑をかけることがないと判明したので、現在のそのままの音量を続ける。一方、ＮＯの場合には、現在の音量レベルが、Ｓ５６で算出した最大音量レベル以上で、ＩＣタグ２１を装着した他の端末２を所持する人に音量が大きすぎて迷惑をかけると判明したので、Ｓ５８で算出した音量レベル以下に音量を低減し、Ｓ５９で音量制御により音量低減情報を表示する。
【００８３】
以上によって、端末１で他の端末２に装着したＩＣタグ２１から情報が読み取れたときに、端末１の周囲の雑音レベルを測定、およびＩＣタグ２１までの距離を算出し、これら雑音レベルと距離とをもとに図１３の最大音量レベルテーブルを参照して許される最大音量レベルを取り出し、端末１の現在の音量が取り出した最大音量レベル以上のときに当該最大音量レベル以下に自動調整、および自動調整したメッセージを表示すると共に、ＩＣタグ２１が所定時間経過しても検出されないときに元の音量に自動復帰させることが可能となる。
【００８４】
図１３は、本発明の最大音量レベルテーブルの例を示す。最大音量レベルテーブルは、端末１の周囲の雑音レベルと、端末１から他の端末２までの距離（読取距離）とに対応づけて、端末１で許容される最大音量レベルを実験で求めた登録したものである。
【００８５】
以上の最大音量レベルテーブルを予め作成して登録しておくことにより、端末１が他の端末２に装着されたＩＣタグ２１から情報が読み取れたときに、周囲の雑音レベルと、ＩＣタグ２１までの距離とを算出し、これら雑音レベルと距離とをもとに当該最大音量レベルテーブルを参照し、許容される最大音量レベルを取り出し、当該最大音量レベル以上のときに以下に自動調整し、所定時間経過してもＩＣタグ２１から情報が読み取れないときに元の音量に自動復帰させることが可能となる。
【００８６】
図１４は、本発明の他のシステム構成図を示す。ＩＣタグ読取手段１１、判断手段１３、音量調整手段１５、表示手段１６、現在音量レベル情報テーブル１７、最大音量レベル情報テーブル１８、端末２、ＩＣタグ２１は、図１の同一番号のものと同一であるので説明を省略する。
【００８７】
図１４において、現在地検出手段１４４は、現在地を検出するものであって、例えば公知のＧＰＳ受信機とその地図情報である。
【００８８】
音声制御必要地図情報テーブル２０は、音声制御に必要な地図情報に対応づけて音量レベル（最大音量レベル）を予め登録したものである（図１６参照）。
【００８９】
次に、図１５のフローチャートの順番に従い、図１４の構成の動作を詳細に説明する。
図１５は、本発明の他の動作説明フローチャートを示す。
【００９０】
図１５において、Ｓ６１は、一定時間毎に他の端末２のＩＣタグ２１を読み取る。これは、図１４の端末１のＩＣタグ読取手段１１が電波を送信し、他の端末２のＩＣタグ２１から情報（特定情報）の読み取りを行う。
【００９１】
Ｓ６２は、読み取り成功か判別する。ＹＥＳの場合には、Ｓ６４に進む。ＮＯの場合には、Ｓ６３で所定時間経過後にもとの音量レベルに戻し、Ｓ６１以降を繰り返す。
【００９２】
Ｓ６４は、Ｓ６２のＹＥＳで、他の端末２に装着したＩＣタグ２１から情報の読み取りに成功したと判明したので、現在地位置情報を検出する。これは、図１４の現在地検出手段１４４が現在地を検出、例えば公知のＧＰＳにより現在地を検出する。
【００９３】
Ｓ６５は、現在地は音量抑制必要経路上か判別する。これは、Ｓ６４で検出した現在地について、後述する図１６の音量制御必要地図情報テーブル２０を参照して最大音量レベルが設定されている経路上（場所上）か判別する。設定されている場合には、その最大音量レベルを取り出して記憶する。ＹＥＳの場合には、Ｓ６６に進む。ＮＯの場合には、音量抑制経路上ではないと判明したので、Ｓ６１に戻り繰り返す。
【００９４】
Ｓ６６は、Ｓ６５のＹＥＳで音量抑制経路上（場所上）であると判明したので、Ｓ６５で記憶しておいた最大音量レベル以内に音量を低減する。
【００９５】
Ｓ６７は、音量制御により音量低減情報を表示する。
以上によって、端末１が他の端末２に装着したＩＣタグ２１から情報を読み取れたときに端末１の現在地を検出し、図１６の音声制御必要地図情報テーブル２０を参照して登録されている経路上（場所上）のときに最大音量レベルを取り出し、端末１の現在の音量が最大音量レベル以上のときに当該最大音量レベル以内に自動低減および音量制御した旨のメッセージを液晶パネル上に表示して知らせることで、場所に応じてその最大音量レベルを音声制御必要地図情芳テーブル２０に設定するのみで自動的にその場所での端末１の音量を自動低減することが可能となる。そして、自動低減した場合には、所定時間経過してＩＣタグ２１から情報の読み取りが出来なくなったときに元の音量に自動復帰させることが可能となる。
【００９６】
図１６は、本発明の音声制御必要地図情報テーブル例を示す。音声制御必要地図情報テーブル２０は、自動的に音声低減する経路（場所）と、そのときに低減する最大音量レベルとを対にして予め登録するテーブルである。
【００９７】
以上の音声制御必要地図情報テーブル２０に図示のように予め登録することにより、端末１が他の端末２に装着されたＩＣタグ２１から情報を読み取ったときに当該端末１の現在地の経路（場所）をもとに当該音声制御必要地図情報テーブル２０を参照して最大音量レベルを取り出し、現在の音量を最大音量レベル以内に自動調整すると共に、所定時間経過してもＩＣタグ２１から情報の読み取りができなくなったときに、元の音量に自動復帰させることが可能となる。
【産業上の利用可能性】
【００９８】
本発明は、端末にＩＣタグを装着して他の端末のＩＣタグを検出したり、距離や雑音レベルを測定したり、更に、場所を検出したりし、端末の音量を適切に自動調整すると共に所定時間経過後に元の音量に自動復帰し、人手を煩わせることなく簡易かつ確実に端末の音量を適切に自動調整することが可能となる。
【図面の簡単な説明】
【００９９】
【図１】本発明のシステム構成図である。
【図２】本発明の動作説明フローチャートである。
【図３】本発明の説明図である。
【図４】本発明の他のシステム構成図である。
【図５】本発明の他の動作説明フローチャートである。
【図６】本発明のテーブル例である。
【図７】本発明の他の動作説明図（距離算出処理）である。
【図８】本発明の他のシステム構成ずである。
【図９】本発明の他の動作説明フローチャートである。
【図１０】本発明の最大音量レベル情報テーブル例である。
【図１１】本発明の他のシステム構成図である。
【図１２】本発明の他の動作説明フローチャートである。
【図１３】本発明の最大音量レベルテーブル例である。
【図１４】本発明の他のシステム構成図である。
【図１５】本発明の他の動作説明フローチャートである。
【図１６】本発明の音声制御必要地図情報テーブル例である。
【符号の説明】
【０１００】
１，２：端末
１１：ＩＣタグ読取手段
１２：処理部
１３：判断手段
１４：ＩＣタグ距離測定手段
１５：音量調整手段
１６：表示手段
１７：現在音量レベル情報テーブル
１８：最大音量レベル情報テーブル
１９，２１：ＩＣタグ
２０：音声制御必要地図情報テーブル
【図１】
2006253765.tif 000003
【図２】
2006253765.tif 000004
【図３】
2006253765.tif 000005
【図４】
2006253765.tif 000006
【図５】
2006253765.tif 000007
【図６】
2006253765.tif 000008
【図７】
2006253765.tif 000009
【図８】
2006253765.tif 000010
【図９】
2006253765.tif 000011
【図１０】
2006253765.tif 000012
【図１１】
2006253765.tif 000013
【図１２】
2006253765.tif 000014
【図１３】
2006253765.tif 000015
【図１４】
2006253765.tif 000016
【図１５】
2006253765.tif 000017
【図１６】
2006253765.tif 000018